(57)【特許請求の範囲】
【請求項１】
冊子状媒体を搬送する搬送手段と、前記冊子状媒体の閉じうる側に設けられかつ円周に摩擦部材を取り付けられた一対の改頁ローラと、この改頁ローラのそれぞれを回転可能に保持しかつ所定の支点を中心に円弧運動可能に保持されたアームと、
前記冊子状媒体の閉じうる側の反対側に設けられ、前記アームを円弧運動させて前記改頁ローラで押さえられたときにその改頁ローラが冊子状媒体の閉じうる側の反対側に配置する位置までに所定の支点を中心に円弧運動する押圧手段とを具備し、
冊子状媒体を閉じるときに、前記冊子状媒体の端部が前記改頁ローラと当接しない位置までに冊子状媒体を引き抜き、前記改頁ローラが前記冊子状媒体の閉じうる側の反対側に配置する位置までに前記アームを円弧運動させ、前記冊子状媒体の端部が前記改頁ローラに載る位置までに前記冊子状媒体を挿入し、前記アームを前記冊子状媒体の閉じうる方向に円弧運動させながら前記冊子状媒体を更に挿入することを特徴とする冊子状媒体改頁機構。
【請求項２】
請求項１に記載の冊子状媒体改頁機構において、前記改頁ローラの円周に低摩擦部材と高摩擦部材を設けたことを特徴とする冊子状媒体改頁機構。
【請求項３】
請求項１または請求項２に記載の冊子状媒体改頁機構において、前記アームを前記冊子状媒体の閉じうる方向に円弧運動させながら前記冊子状媒体を更に挿入するときに前記改頁ローラを回転させることを特徴とする冊子状媒体改頁機構。
【請求項４】
請求項１から請求項３に記載の冊子状媒体改頁機構において、冊子状媒体を閉じる動作を実施する前に、冊子状媒体を前記搬送手段により固定すると共に前記アームを円弧運動させて前記改頁ローラでその冊子状媒体を前記押圧手段に押し付けることによりその冊子状媒体にアーク状の癖を与えることを特徴とする冊子状媒体改頁機構。
【発明の詳細な説明】
【０００１】
【発明の属する技術分野】
本発明は、銀行などの金融機関において使用されるに通帳取扱い装置に関し、さらに詳しくは、開いている通帳を閉じるための冊子状媒体閉じ機構に関する。
【０００２】
【従来の技術】
従来の冊子状媒体改頁機構は、所定の支点を中心に円弧運動可能に保持されたアームとそのアームにより回転可能に支持されかつ一部に摩擦部材を取り付けられた改頁ローラとを具備する。
開いている冊子状媒体（以下、通帳と言う。）を閉じるときは、前記改頁ローラが通帳の中紙に接する位置まで前記アームを回転させ、次に、前記改頁ローラを回転させることにより中紙を一枚ずつ捲り、最後に表紙を捲るようになっている。
【０００３】
また、特公平７−１３２６９１号公報に開示されている冊子状媒体改頁機構では、別のアクチュエータを用いてレバーを介して、閉じる側の通帳の表紙を下から突き上げることにより通帳を一括で閉じるようになっている。
【０００４】
【発明が解決しようとする課題】
上記従来の冊子状媒体改頁機構では、中紙を一枚ずつ捲るようになっているため、中紙の枚数が多くなればなるほど処理時間が延びてしまう問題点がある。
一方、上記特公平７−１３２６９１号公報に開示されている装置では、アクチュエータやレバーなどが必要となるため、部品点数が多くなり、装置規模が大きくなってしまう問題点がある。
【０００５】
そこで、本発明の目的は、部品点数を増加させることなく通帳を一括で閉じることができるようにした冊子状媒体閉じ機構を提供することにある。
【０００６】
【課題を解決するための手段】
上記問題を解決するために、本発明は、冊子状媒体を搬送する搬送手段と、前記冊子状媒体の閉じうる側に設けられかつ円周に摩擦部材を取り付けられた一対の改頁ローラと、この改頁ローラのそれぞれを回転可能に保持しかつ所定の支点を中心に円弧運動可能に保持されたアームと、前記冊子状媒体の閉じうる側の反対側に設けられ、前記アームを円弧運動させて前記改頁ローラで押さえられたときにその改頁ローラが冊子状媒体の閉じうる側の反対側に配置する位置までに所定の支点を中心に円弧運動する押圧手段とを具備し、冊子状媒体を閉じるときに、前記冊子状媒体の端部が前記改頁ローラと当接しない位置までに冊子状媒体を引き抜き、前記改頁ローラが前記冊子状媒体の閉じうる側の反対側に配置する位置までに前記アームを円弧運動させ、前記冊子状媒体の端部が前記改頁ローラに載る位置までに前記冊子状媒体を挿入し、前記アームを前記冊子状媒体の閉じうる方向に円弧運動させながら前記冊子状媒体を更に挿入することを特徴とする冊子状媒体改頁機構を提供する。
【０００７】
上記冊子状媒体改頁機構では、アームを円弧運動させて改頁ローラを冊子状媒体の閉じうる側の反対側に配置させ、冊子状媒体をその上に載せてから冊子状媒体の閉じうる側に円弧運動させる。このため、改頁処理に用いると同じ構成でかつ一括で冊子状媒体を閉じることができるから、処理時間の短縮や部品点数の減少ができることとなる。
【０００８】
【発明の実施の形態】
以下、図に示す実施の形態により本発明をさらに詳細に説明する。なお、これにより本発明が限定されるものではない。
図１は本発明の一実施の形態の冊子状媒体改頁機構の側面図であり、図２はこの冊子状媒体改頁機構の平面図である。
【０００９】
この冊子状媒体改頁機構において、搬送ローラ１は、図示しない駆動モータにより回転し、冊子状媒体（以下、通帳と言う。）２を搬送する。
通帳２の搬送路上側に、アーム６（ａ），６（ｂ）により回転可能に支持された改頁ローラ３（ａ），３（ｂ）が設けられている。前記改頁ローラ３（ａ），３（ｂ）の円周にはゴム等からなる高摩擦部４と、プラスチック系等からなるポリアセタール面よりなる低摩擦部５とが設けられている。前記アーム６（ａ），６（ｂ）は、図示しない駆動モータにより円弧運動を行う。また、前記アーム６（ａ），６（ｂ）が円弧運動しても、前記改頁ローラ３（ａ），３（ｂ）は円弧上の任意に位置で図示しない駆動モータにより回転を行う。
【００１０】
上記アーム６（ａ），６（ｂ）と改頁ローラ３（ａ），３（ｂ）は、それぞれ１セットとなり、図２に示すように、搬送路上側で相互に対向して、これらアーム６（ａ），６（ｂ）と改頁ローラ３（ａ），３（ｂ）の２セットが設けられている。
上記改頁ローラ３（ａ），３（ｂ）に対応する通帳２の搬送路下側には、押圧部７が設けられている。この押圧部７は、回転支持部９とリセットスプリング８により円弧運動可能に保持されている。
【００１１】
搬送路の下側のガイドとして、固定ガイド１０（ａ），１０（ｂ）とが設けられている。
前記アーム（ａ），６（ｂ）と前記押圧部７と前記固定ガイド１０（ａ），１０（ｂ）は搬送路のガイドとなっている。なお、図１に示す状態は、改頁処理や閉じ処理を行わない場合の状態であり、以下、リセット状態と言う。また、このときの前記アーム（ａ），６（ｂ）の位置をホーム位置と言う。
【００１２】
改頁処理が必要となったときは、通帳２を押圧部７上にセットし、アーム（ａ），６（ｂ）を円弧運動させて、改頁ローラ３（ａ），３（ｂ）で通帳２を押圧部７に押し付ける（図３参照）ことにより押圧力を得ることができる構成となっている。また、閉じ処理が必要となったときは、アーム６（ａ），６（ｂ）を円弧運動させて、改頁ローラ３（ａ），３（ｂ）を押圧部７に押し付ける（図６参照）ことにより、それらの改頁ローラ３（ａ），３（ｂ）を通帳２を越えた位置に配置させることできる構成となっている。
【００１３】
以下、改頁処理について説明する。
まず、装置を図１のリセット状態にして、通帳２を、その通帳２の閉じうる方向を改頁ローラ３（ａ），３（ｂ）側にして、搬送路に挿入する。また、改頁ローラ３（ａ），３（ｂ）の低摩擦部５を搬送路側に向け、高摩擦部４を搬送路でない側に向けるように改頁ローラ３（ａ），３（ｂ）を回転させておく。これにより、改頁ローラ３（ａ），３（ｂ）の高摩擦部４が通帳２の走行の障害にならなくなる。
【００１４】
次に、図３に示すように、アーム６（ａ）を矢印Ｂの方向に２３・５゜円弧運動させて通帳２を押圧部７に押し付けると共に、アーム６（ｂ）を矢印Ａの方向に円弧運動させる。
【００１５】
次に、図４に示すように、改頁ローラ３（ａ）を矢印Ｃの方向に回転させる。なお、改頁ローラ３（ａ）の回転は、図示しない位相検出器により制御することができるようになっている。図４でつくり出した通帳２の捲ろうとする中紙２１の弧状の形状は、改頁ローラ３（ａ）の高摩擦部４を低摩擦部５に置き換えたら、中紙２１の弧が自力で平面に戻るレベルの大きさの弧とする。そして、アーム６（ａ）をホーム位置に戻しながら、改頁ローラ３（ａ）を更に回転させることにより、通帳２の目的の中紙２１のみを捲ることができる。
【００１６】
次に、閉じ処理について説明する。
まず、装置を図１のリセット状態にして、通帳２を、その通帳２の閉じうる方向を改頁ローラ３（ａ），３（ｂ）側にして、搬送路に挿入する。また、改頁ローラ３（ａ），３（ｂ）の低摩擦部５を搬送路側に向け、高摩擦部４を搬送路でない側に向けるように改頁ローラ３（ａ），３（ｂ）を回転させておく。これにより、改頁ローラ３（ａ），３（ｂ）の高摩擦部４が通帳２の走行の障害にならなくなる。
【００１７】
次に、図５に示すように、アーム６（ａ）を矢印Ｄの方向に約１５゜円弧運動させて通帳２と押圧部７に押し付ける。なお、通帳２が固定ガイド１０（ａ），１０（ｂ）により支持されているため、通帳２に上にカールした癖を与えることになる。なお、この状態で、通帳２を矢印Ｅの方向に走行させてもよい。これにより、通帳２に上にカールした癖を確実に与えることができる。通帳２に癖を与えてからアーム６（ａ）をホーム位置に戻しておく。
【００１８】
次に、図６に示すように、通帳２を矢印Ｆの方向に走行させる。そして、アーム６（ａ）を矢印Ｇの方向に約３５゜円弧運動させて押圧部７に押し付ける。これにより、改頁ローラ３（ａ）が通帳２の搬送路を越えた位置に配置される。このとき、改頁ローラ３（ａ）を、その改頁ローラ３（ａ）の高摩擦部４が搬送路側に向くように予め回転させておく。一方、アーム６（ｂ）を矢印Ｈの方向に円弧運動させる。
【００１９】
次に、図７に示すように、通帳２を矢印Ｇの方向に走行させる。なお、改頁ローラ３（ａ）が通帳２の搬送路を越えた位置に配置しており、また、通帳２に上にカールした癖が与えられているため、通帳２が改頁ローラ３（ａ）に確実に載ることになる。
なお、通帳２に上にカールした癖が与えられていない場合や、通帳２に下にカールした癖がある場合は、図１２に示すように、通帳２が改頁ローラ３（ａ）に載せることが困難になるため、通帳２に上にカールした癖を与えることが好ましい。
【００２０】
次に、図８に示すように、アーム６（ａ）を矢印Ｈの方向に円弧運動させてホーム位置に戻す。そして、改頁ローラ３（ａ）を矢印Ｊの方向に１回転させる。なお、改頁ローラ３（ａ）に高摩擦部４が設けられており、また、改頁ローラ３（ａ）を回転させるため、図１３に示すように、改頁ローラ３（ａ）から外れかかった通帳２でも改頁ローラ３（ａ）に確実に載ることになる。
【００２１】
次に、図９に示すように、通帳２を矢印Ｋの方向に走行させる。そして、図１０に示すように、アーム６（ａ）を矢印Ｍの方向に円弧運動させながら改頁ローラ３（ａ）を矢印Ｌの方向に回転させて高摩擦部４を上に向かせる。これにより、通帳２が、その通帳２の閉じうる側にほぼ垂直状態になる。
この状態で、図１１に示すように、通帳２を矢印Ｐの方向に走行させることにより通帳２を閉じる。そして、装置を図１のリセット状態に戻す。
【００２２】
【発明の効果】
以上説明したように、本発明では、アームを円弧運動させて改頁ローラを冊子状媒体の閉じうる側の反対側に配置させる。このため、改頁処理に用いると同じ構成でかつ一括で冊子状媒体を閉じることができるから、処理時間の短縮や部品点数の減少ができることとなる。
【図面の簡単な説明】
【図１】本発明の一実施の形態の冊子状媒体改頁機構の側面図である。
【図２】図１の冊子状媒体改頁機構の平面図である。
【図３】改頁処理の動作過程を示す説明図（１）である。
【図４】改頁処理の動作過程を示す説明図（２）である。
【図５】通帳にアーク状の癖を与える過程を示す説明図である。
【図６】閉じ処理の動作過程を示す説明図（１）である。
【図７】閉じ処理の動作過程を示す説明図（２）である。
【図８】閉じ処理の動作過程を示す説明図（３）である。
【図９】閉じ処理の動作過程を示す説明図（４）である。
【図１０】閉じ処理の動作過程を示す説明図（５）である。
【図１１】閉じ処理の動作過程を示す説明図（６）である。
【図１２】不具合動作を示す説明図である。
【図１３】不具合動作を示す他の説明図である。
【符号の説明】
１        搬送ローラ
２        通帳
３        改頁ローラ
４        高摩擦部
５        低摩擦部
６        アーム
７        押圧部
８        リセットスプリング
９        回転支持部
１０      固定ガイド
【図１】
0003563232.tif 000002
【図２】
0003563232.tif 000003
【図３】
0003563232.tif 000004
【図４】
0003563232.tif 000005
【図５】
0003563232.tif 000006
【図６】
0003563232.tif 000007
【図７】
0003563232.tif 000008
【図８】
0003563232.tif 000009
【図９】
0003563232.tif 000010
【図１０】
0003563232.tif 000011
【図１１】
0003563232.tif 000012
【図１２】
0003563232.tif 000013
【図１３】
0003563232.tif 000014